(57)【特許請求の範囲】
【請求項１】
（ａ）内燃機関の燃焼室に連通する流体流路を形成するハウジングと、
（ｂ）このハウジングの内部に収容されて、前記流体流路を開閉するバルブと、
（ｃ）前記ハウジングと前記バルブとの間に形成される隙間を小さくするスペーサ本体を有するスペーサと
を備えたバルブユニットにおいて、
前記スペーサは、合成樹脂によって形成されて、前記スペーサ本体の外面より突出するように配設された圧入部を有し、
前記ハウジングは、合成樹脂によって形成されて、前記圧入部を圧入嵌合する嵌合部を有し、
前記スペーサ本体は、前記圧入部との間に前記嵌合部を挟み込むように配設されて、前記嵌合部を前記圧入部側へ押圧する押圧部を有し、
前記嵌合部は、前記押圧部により押圧されると前記圧入部を係止するように弾性変形する変形部を有していることを特徴とするバルブユニット。
【請求項２】
請求項１に記載のバルブユニットにおいて、
前記変形部は、前記スペーサの抜け止め構造を形成していることを特徴とするバルブユニット。
【請求項３】
請求項１または請求項２に記載のバルブユニットにおいて、
前記圧入部には、前記変形部に係止される被係止部が一体的に形成されていることを特徴とするバルブユニット。
【請求項４】
請求項１ないし請求項３のうちのいずれか１つに記載のバルブユニットにおいて、
前記圧入部は、前記押圧部と一体化されており、
前記変形部は、前記圧入部と前記押圧部との間に挟み込まれていることを特徴とするバルブユニット。
【請求項５】
請求項１ないし請求項４のうちのいずれか１つに記載のバルブユニットにおいて、
前記ハウジングは、前記嵌合部の内面のうちの少なくとも一部が圧入面を形成していることを特徴とするバルブユニット。
【請求項６】
請求項１ないし請求項５のうちのいずれか１つに記載のバルブユニットにおいて、
前記押圧部は、前記スペーサ本体の下面に一体的に設けられて、前記変形部を前記圧入部側に押し下げるように押圧することを特徴とするバルブユニット。
【請求項７】
請求項１ないし請求項６のうちのいずれか１つに記載のバルブユニットにおいて、
前記嵌合部は、前記ハウジングの壁部端面で開口する開口部、およびこの開口部に連通する圧入空間を有し、
前記圧入部は、前記開口部から前記圧入空間に圧入されることを特徴とするバルブユニット。
【請求項８】
請求項７に記載のバルブユニットにおいて、
前記ハウジングは、前記嵌合部の内面のうちの少なくとも一部が圧入面を形成しており、
前記変形部は、前記圧入面の途中から前記開口部近傍までに設けられている、あるいは前記圧入面よりも前記開口部側に設けられていることを特徴とするバルブユニット。
【請求項９】
請求項７または請求項８に記載のバルブユニットにおいて、
前記嵌合部は、前記変形部を分割するように形成されて、前記隙間と前記圧入空間とを連通するスリットを有し、
前記スペーサは、前記スリットを貫通して前記スペーサ本体と前記圧入部とを連結する連結部を有していることを特徴とするバルブユニット。
【請求項１０】
請求項１ないし請求項９のうちのいずれか１つに記載のバルブユニットにおいて、
前記変形部は、前記隙間に前記スペーサを挿入する際のガイドの一部を構成していることを特徴とするバルブユニット。
【請求項１１】
請求項１ないし請求項１０のうちのいずれか１つに記載のバルブユニットにおいて、
前記流体流路は、前記内燃機関の吸気ポートに連通する吸気通路であって、
前記スペーサは、前記内燃機関の吸気ポートと前記ハウジングの吸気通路との間に形成される段差を解消するスロープ部材であって、
前記スロープ部材は、前記隙間を小さくするように、前記ハウジングの内部に収容されていることを特徴とするバルブユニット。
【請求項１２】
請求項１ないし請求項１１のうちのいずれか１つに記載のバルブユニットにおいて、
前記バルブとは、その回転中心を成す回転軸が、前記バルブの中心よりも一端側にズレた片持ち式のバルブのことであることを特徴とするバルブユニット。
【発明の詳細な説明】
【技術分野】
【０００１】
本発明は、バルブユニットに関するもので、特にハウジングとバルブとの間に形成される隙間を小さくするスロープ部材等のスペーサを備えたバルブユニット（流体流路開閉装置）に係わる。
【背景技術】
【０００２】
［従来の技術］
従来より、図７に示したように、内燃機関のシリンダヘッド１０１のインマニ取付面に接続されるインテークマニホールド１０２に格納されたバルブユニットを備えた内燃機関の制御装置が提案されている（例えば、特許文献１参照）。このバルブユニットは、インテークマニホールド１０２内に組み付けられるハウジング１０３、およびインテークマニホールド１０２の内部（内燃機関の吸気ポート１１０に連通する第１、第２吸気通路１１１、１１２）を開閉するバルブ１０４を有している。
【０００３】
また、このバルブユニットにおいては、バルブ１０４の開度が全開開度の状態の時に、インテークマニホールド１０２の内部（第１、第２吸気通路１１１、１１２）を流れる吸入空気における吸気抵抗を低減させるという目的で、バルブ１０４の回転中心を成すバルブ軸１０５が、バルブ中央部よりも一端側にズレた片持ち式のバルブが採用されている。  そして、ハウジング１０３は、その第２吸気通路１１２の重力方向における下部に、バルブ１０４を全開した全開状態の時にバルブ１０４を収納するためのバルブ収納空間１１３を有している。
【０００４】
［従来の技術の不具合］
ところが、図７に示されているように、ハウジング１０３のバルブ収納空間１１３にバルブ１０４のバルブ軸１０５を収納する構造（内燃機関の吸気通路構造）においては、シリンダヘッド１０１の吸気ポート１１０の重力方向における下面とハウジング１０３の第２吸気通路１１２の重力方向における下面との間に段差１１４が形成されるため、ハウジング１０３の第２吸気通路１１２（バルブ収納空間１１３）の重力方向における下部１１５に、吹き返しによる燃料が落下して燃料の液溜まりが生起するという問題が生じている。
そして、ハウジング１０３の下部１１５に液溜まりした燃料が、吸入空気量の急増やエンジン振動等により、段差１１４を乗り越え、内燃機関の燃焼室内に大量に、しかも一気に流れ込むと、内燃機関の燃焼室内の空燃比がオーバリッチになり、不完全燃焼を起こし、排気ガス性能（エミッション）が悪化するという問題が生じている。
【０００５】
［先行の技術の不具合］
そこで、図５および図６に示したように、バルブユニットのハウジング３の内部にブロック状のスロープ部材５を嵌め込むことで、内燃機関の吸気ポート１３とハウジング３の第２吸気通路１２との間に形成される段差２３を解消して、ハウジング３の下部に液溜まりした燃料が大量に、しかも一気に内燃機関の燃焼室内に流れ込まないようにするという目的で、既に特願２００７−２１７８４２（出願日：平成１９年８月２４日、以下比較例１と言う）を出願した。
ここで、スロープ部材５は、ハウジング３と同様に樹脂一体成形されている。このスロープ部材５は、その下端面に、ハウジング３の嵌合凹部に嵌め合わされる嵌合凸部６１を有している。また、スロープ部材５は、その左右両側面に、ハウジング３の一対の嵌合凹部にそれぞれ嵌め合わされる一対の嵌合凸部６２を有している。
そして、スロープ部材５を、ハウジング３の開口端から第２吸気通路１２、特にバルブ収納空間２１の内部に挿入することで、ハウジング３の嵌合凹部にスロープ部材５の嵌合凸部６１、６２が嵌合保持される。
【０００６】
以上のように、比較例１の吸気制御装置（バルブユニット）においては、ハウジング３のバルブ収納空間２１の内部に収容されたスロープ部材５によって、内燃機関の吸気ポート１３とハウジング３の第２吸気通路１２との間に形成された段差２３を解消することにより、ハウジング３の下部に液溜まりした燃料が、スロープ部材５の傾斜面５２に沿って流れる吸入空気流によって、段差２３を乗り越え内燃機関の燃焼室に吸い込まれる。
したがって、ハウジング３の下部に液溜まりした燃料が大量に、しかも一気に内燃機関の燃焼室内に流れ込むことがないので、内燃機関の燃焼室内の空燃比がオーバリッチになることによる排気ガス性能（エミッション）の悪化を抑制することができる。
【０００７】
ところが、合成樹脂製のハウジング３の嵌合凹部と合成樹脂製のスロープ部材５の嵌合凸部６１、６２との嵌合保持、つまり「合成樹脂同士の弾性保持」のみによる固定では、高温環境下におけるクリープ等による変形で、スロープ部材５に対するハウジング３の保持力が低下し、最悪ハウジング３からスロープ部材５が抜けるという問題がある。
また、ハウジング３への装着後、スロープ部材５の抜け防止のために、ハウジング３に対するスロープ部材５の固定作業を実施した後、熱かしめや溶着等の抜け止め作業（後工程）が必要になるので、コストアップとなる。なお、熱かしめや溶着等の抜け止め作業を実施した場合には、バルブユニットの出来映え品質（外観品質）の管理が非常に困難であり、更に、熱かしめや溶着等の抜け止め作業を実施するための設備、場所の確保が必要となる。これにより、ハウジング３へのスロープ部材５の組付作業効率が悪化し、大幅にコストアップとなる。
【０００８】
また、熱かしめや溶着等の抜け止め作業（後工程）を不要とするために、高温環境下におけるクリープ等による変形量（高温クリープ変形量）の小さい合成樹脂（材料）を使用することが考えられる。しかし、この場合には、高価な材料の採用が必要となるので、大幅にコストアップとなる。
また、電気コネクタ等に見受けられる、抜け止め突起等のロック機構では、樹脂成形用金型構造や形状に制約がある。特に、樹脂成形用金型構造上、成立しないケースもあるので、抜け止め突起等のロック機構を取り入れることができない。
また、樹脂成形用金型の無理抜きで、抜け止め突起等のロック機構を付けることが知られているが、硬い合成樹脂には、無理抜きした時に抜け止め突起等が削れてしまう可能性があるので、樹脂成形用金型の無理抜きを適用することはできない。
【特許文献１】特開２００７−０４０２８２号公報
【発明の開示】
【発明が解決しようとする課題】
【０００９】
本発明の目的は、高価な材料を使用することなく、また、ハウジングへの装着後のスペーサの抜け防止のための抜け止め作業（後工程）を不要とすることで、コストダウンを図ることのできるバルブユニットを提供することにある。また、スペーサの抜け防止に対する信頼性を向上することのできるバルブユニットを提供することにある。さらに、ハウジングおよびスペーサを樹脂成形する金型構造を簡素化することで、金型加工およびメンテナンスの容易化を図ることのできるバルブユニットを提供することにある。
【課題を解決するための手段】
【００１０】
請求項１に記載の発明によれば、合成樹脂によって形成されたスペーサは、スペーサ本体の外面より突出するように圧入部を配設している。また、合成樹脂によって形成されたハウジングは、スペーサの圧入部を圧入嵌合する嵌合部を有している。
そして、スペーサ本体は、圧入部との間に嵌合部を挟み込むように配設されて（嵌合部への圧入部の圧入嵌合が終了した後に）、嵌合部（の変形部）を圧入部側へ押圧する押圧部を有している。また、ハウジングの嵌合部は、スペーサ本体の押圧部により押圧されると、スペーサの圧入部を係止するように弾性変形する変形部を有している。
すなわち、嵌合部への圧入部の圧入嵌合が終了した後に、ハウジングの嵌合部の変形部がスペーサ本体の押圧部に押圧される。そして、ハウジングの嵌合部の変形部が押圧部に押圧されると、ハウジングの嵌合部の変形部が弾性変形してスペーサの圧入部を係止する。
これにより、スペーサの圧入部をハウジングの嵌合部に圧入するだけで、スペーサの固定作業と抜け止め作業とを完了することができる。
【００１１】
これによって、高価な材料（高温クリープ等による変形量の小さい合成樹脂）を使用することなく、また、ハウジングへの装着後のスペーサの抜け防止のための後工程が不要となるので、ハウジングへのスペーサの組付作業効率の向上およびコストダウンを図ることができる。また、ハウジングへの装着後のスペーサの抜け防止のための熱かしめや溶着等の抜け止め作業（後工程）が不要となるので、良好な出来映え品質（外観品質）の保証が可能となり、品質管理に対する信頼性を向上することがきる。
また、ハウジングに対するスペーサの固定作業を実施した際に、ハウジングの嵌合部の変形部がスペーサの圧入部を係止するように変形することにより、スペーサの抜け止めを確実に実施することができるので、スペーサの抜け防止に対する信頼性を向上することができる。
さらに、抜け止め突起等のロック機構を追加することなく、例えばフラットな形状でスペーサの抜け止めが可能な構成とすることにより、ハウジングおよびスペーサを樹脂成形する金型構造を簡素化することができるので、金型加工およびメンテナンスの容易化を図ることができる。
【００１２】
請求項２に記載の発明によれば、ハウジングの変形部は、スペーサ本体の押圧部に押圧されると弾性変形して、ハウジングの嵌合部に圧入嵌合されるスペーサの圧入部を係止している。これにより、ハウジングの変形部は、スペーサの抜け止め構造を形成することができる。
請求項３に記載の発明によれば、スペーサの圧入部には、ハウジングの変形部に係止される被係止部が一体的に形成されている。すなわち、スペーサは、圧入部と被係止部とを一体化した構造を備えている。
【００１３】
請求項４に記載の発明によれば、圧入部は、押圧部と一体化されている。すなわち、圧入部と押圧部とは、同一部品（スペーサ）で、且つ同一部材（合成樹脂）で構成されている。そして、ハウジングの変形部は、スペーサの圧入部と押圧部との間に挟み込まれている。すなわち、ハウジングの変形部を、同一部材（合成樹脂）で挟み込む構造を備えている。これによって、高温環境下でのクリープ等の変形により更にスペーサが抜けづらくなるので、スペーサの抜け防止に対する信頼性をより向上することができる。
【００１４】
請求項５に記載の発明によれば、ハウジングの嵌合部の内面のうちの少なくとも一部が、スペーサの圧入部を圧入嵌合する圧入面を有している。この場合には、ハウジングの嵌合部の内面全体を圧入面とした場合と比べて、嵌合部に対する圧入部の圧入作業が容易となる。
請求項６に記載の発明によれば、スペーサは、ハウジングの変形部を圧入部側に押し下げるように押圧する押圧部を有している。この押圧部は、スペーサ本体の下面に一体的に設けられている。
請求項７に記載の発明によれば、ハウジングの嵌合部は、ハウジングの壁部端面で開口する開口部、およびこの開口部に連通する圧入空間を有している。また、スペーサの圧入部は、ハウジングの開口部から圧入空間に圧入される。
【００１５】
請求項８に記載の発明によれば、ハウジングの嵌合部の内面のうちの少なくとも一部が圧入面を有している。そして、ハウジングの変形部は、ハウジングの圧入面の途中から開口部近傍までに設けられている、あるいはハウジングの圧入面よりも開口部側に設けられている。
ところで、ハウジングの変形部は、スペーサ本体の押圧部により押圧されてスペーサの圧入部を係止するように弾性変形する。このため、スペーサの圧入部をハウジングの嵌合部に圧入嵌合した後に、ハウジングの変形部がスペーサの圧入部を係止するように弾性変形することが望ましい。したがって、スペーサ本体の押圧部を、嵌合部への圧入部の圧入方向の逆側（スペーサ本体の挿入方向に対して逆側）に設けることが望ましい。
【００１６】
請求項９に記載の発明によれば、ハウジングの嵌合部は、隙間と圧入空間とを連通するスリットを有している。このスリットは、ハウジングの変形部を分割するように形成されている。そして、スペーサは、スリットを貫通してスペーサ本体と圧入部とを連結する連結部を有している。
ここで、嵌合部のスリットの内面のうちの少なくとも一部を、スペーサの連結部を圧入嵌合する圧入面として利用しても良い。
あるいはスペーサの連結部がスリットの内面を摺動するようにして、スリットの内面をハウジングとバルブとの間に形成される隙間にスペーサを挿入する際のガイドの一部としても良い。この場合には、ハウジングに対するスペーサの固定作業が容易となる。
あるいはスペーサの連結部がスリットの内面に被接触となるようにしても良い。この場合には、ハウジングに対するスペーサの固定作業が容易となる。
【００１７】
請求項１０に記載の発明によれば、ハウジングの変形部は、ハウジングとバルブとの間に形成される隙間にスペーサを挿入する際のガイドの一部を構成している。この場合には、ハウジングに対するスペーサの装着作業が容易となる。
請求項１１に記載の発明によれば、ハウジングの流体流路は、内燃機関の吸気ポートに連通する吸気通路である。また、スペーサは、内燃機関の吸気ポートとハウジングの吸気通路との間に形成される段差を解消するスロープ部材である。このスロープ部材は、ハウジングとバルブとの間に形成される隙間を小さくするように、ハウジングの内部に収容されている。
以上のように、内燃機関の吸気ポートとハウジングの吸気通路との間に形成される段差を解消するスロープ部材を配設したことにより、ハウジングの下部に液溜まり（滞留、堆積）した燃料が、上記の段差を乗り越え易くなる。
【００１８】
これによって、ハウジングの吸気通路、内燃機関の吸気ポートを通って、内燃機関の燃焼室に吸い込まれる吸入空気を利用して、ハウジングの下部（例えばハウジングの吸気通路の重力方向における下部）に液溜まりした燃料を内燃機関の吸気ポート側に吹き飛ばすことが可能となるので、ハウジングの下部に燃料が大量に液溜まりし難くなる。
したがって、ハウジングの下部に液溜まりした燃料が大量に、しかも一気に内燃機関の燃焼室内に流れ込むことを防止できるので、内燃機関の燃焼室内の空燃比がオーバリッチになることによる排気ガス性能（エミッション）の悪化を抑制することができる。
【００１９】
請求項１２に記載の発明によれば、バルブとして、その回転軸が、バルブの中心よりも一端側にズレた片持ち式のバルブを採用している。すなわち、ハウジングの内部（吸気通路）に開閉自在（回転自在）に収容されるバルブは、自由端側に対して逆側に回転中心を成す回転軸を有する片持ち式のバルブを構成している。
このような片持ち式のバルブを採用することにより、バルブを全開した全開状態の時、つまりバルブの開度が、ハウジングの内部において全開位置にて全開（開弁）した全開開度の状態の時（バルブ全開時）に、ハウジングの内部（流体流路）に流入した流体流は、バルブおよびその回転軸に邪魔されることなく、ハウジングの内部（流体流路）をストレートに通過する。
ここで、流体流路を、内燃機関の吸気ポートに連通する吸気通路とした場合には、ハウジングの内部（吸気通路）に流入した吸気流は、ハウジングの内部（吸気通路）を真っ直ぐに流れて、ハウジングの内部（吸気通路）から内燃機関の燃焼室に導入される。これによって、バルブの全開時における吸気抵抗を低減させることができる。
【発明を実施するための最良の形態】
【００２０】
本発明を実施するための最良の形態は、コストダウンを図るという目的を、高価な材料を使用することなく、また、ハウジングへの装着後のスペーサの抜け防止のための抜け止め作業（後工程）を不要としながらも、スペーサの圧入部をハウジングの嵌合部に圧入するだけで、スペーサの固定作業と抜け止め作業とを完了することで実現した。また、スペーサの抜け防止に対する信頼性を向上するという目的を、スペーサの抜け止めを確実に実施することで実現した。さらに、ハウジングおよびスペーサを樹脂成形する金型構造を簡素化することで、金型加工およびメンテナンスの容易化を図るという目的を、抜け止め突起等のロック機構を追加することなく、例えばフラットな形状でスペーサの抜け止めが可能な構成とすることで実現した。
【実施例１】
【００２１】
［実施例１の構成］
図１ないし図４は本発明の実施例１を示したもので、図１はバルブユニット（カートリッジ）を示した図で、図２（ａ）はスロープ部材の凸状突起を示した図で、図２（ｂ）はスロープ部材の抜け止め構造を示した図である。
【００２２】
本実施例の内燃機関（エンジン）には、エアクリーナ、電子スロットル装置および吸気渦流発生装置等が搭載されている。また、エンジンは、例えば自動車等の車両のエンジンルームに搭載されている。
本実施例の吸気渦流発生装置は、エンジンの各気筒毎の燃焼室内において縦方向の吸気渦流（タンブル流）を発生させる複数の吸気流制御弁（タンブル流制御弁、バルブユニット）を備えている。複数のバルブユニットは、弁体である吸気流制御バルブ１と、この吸気流制御バルブ１を内蔵し、インテークマニホールド（図５参照）２内に格納されるハウジング３とを備えている。
【００２３】
ここで、エンジンは、エアクリーナ（内燃機関のエアクリーナ）で濾過された清浄な吸入空気とインジェクタより噴射された燃料との混合気を燃焼室内で燃焼させて得られる熱エネルギーによりエンジン出力を得るガソリンエンジンである。また、エンジンは、エンジンの各気筒毎の燃焼室内に吸入空気を導入するための吸気ダクト（インテークダクト、吸気導入ダクト、吸気管）と、エンジンの各気筒毎の燃焼室より流出する排気ガスを排気浄化装置を経由して外部に排出するための排気ダクト（エキゾーストダクト、排気導出ダクト、排気管）とを備えている。
【００２４】
吸気ダクトの内部には、エアクリーナで濾過された清浄な外気（クリーンエア）を、電子スロットルのスロットルボディ、サージタンク、インテークマニホールド２、吸気渦流発生装置のハウジング３を経由して、エンジンの各気筒毎の燃焼室に導入するための吸気通路（第１、第２吸気通路１１、１２および吸気ポート１３：図５参照）が形成されている。また、吸気ダクトは、エアクリーナケース、エアクリーナホース（またはインテークパイプ）、スロットルボディ、サージタンクおよび２重管構造のインテークマニホールド２等を有している。
【００２５】
エンジン本体は、シリンダヘッドおよびシリンダブロック等によって構成されている。シリンダヘッドの一方側に形成される吸気ポート（インテークポート）１３は、ポペット型のインテークバルブ（吸気バルブ）によって開閉される。また、シリンダヘッドの他方側に形成されるエキゾーストポート（排気ポート）は、ポペット型のエキゾーストバルブ（排気バルブ）によって開閉される。さらに、シリンダヘッドには、先端部が各気筒の燃焼室内に露出するようにスパークプラグが取り付けられている。そして、シリンダヘッドには、吸気ポート１３内に最適なタイミングで燃料を噴射するインジェクタ（電磁式燃焼噴射弁）が取り付けられている。
シリンダブロックの内部に形成されるシリンダボア内には、連接棒を介してクランクシャフトに連結されたピストンが、シリンダボアの中心軸線方向に摺動自在に支持されている。
【００２６】
ここで、本実施例の電子スロットル装置は、スロットルバルブのバルブ開度に相当するスロットル開度に応じて、エンジンの各気筒毎の燃焼室内に吸い込まれる吸入空気の流量（吸入空気量）を可変制御するシステムである。
電子スロットル装置は、エンジンの吸気管の途中に設置されたスロットルボディ、吸気管の内部（共通吸気通路）を流れる吸入空気量を可変するバタフライ型のスロットルバルブ、およびこのスロットルバルブを閉弁作動方向（または開弁作動方向）に付勢するリターンスプリング（またはデフォルトスプリング）等によって構成されている。
【００２７】
また、スロットルボディには、スロットルバルブを支持固定するシャフト（回転軸）を開弁作動方向（または閉弁作動方向）に駆動するアクチュエータが搭載されている。このアクチュエータは、電力の供給を受けると駆動力を発生する電動モータ（第１モータ）、およびこの電動モータの駆動力をスロットルバルブのシャフトに伝達する動力伝達機構（例えば歯車減速機構）等を有している。
ここで、スロットルバルブを駆動する電動モータは、エンジン制御ユニット（エンジン制御装置：以下ＥＣＵと言う）によって電子制御されるモータ駆動回路を介して、自動車等の車両に搭載されたバッテリに電気的に接続されている。
【００２８】
ここで、本実施例の吸気渦流発生装置は、自動車等の車両のエンジンルームに設置されて、エンジンの各気筒毎の燃焼室に連通する複数の第１、第２吸気通路１１、１２の通路断面積を絞ることで、エンジンの各気筒毎の燃焼室内において縦方向の旋回流（吸気渦流、タンブル流）を発生させるシステムである。
この吸気渦流発生装置は、電子スロットル装置と共に、エンジンの吸気系統に組み込まれている。そして、吸気渦流発生装置は、バルブユニットを、インテークマニホールド２の内部（ハウジング格納室）にピンロッド（回転軸、シャフト：図５参照）８の軸線方向（回転軸方向）に一定の間隔で並列的に複数配置した多連一体型の吸気通路開閉装置（バルブ開閉装置）である。
【００２９】
また、吸気渦流発生装置は、エンジンの吸気管のスロットルボディおよびサージタンクよりも吸気流方向の下流側に結合されたインテークマニホールド２と、このインテークマニホールド２の内部（複数の第１、第２吸気通路１１、１２）を流れる吸入空気を制御するバルブユニット（ＴＣＶ）と、これらのバルブユニットの弁体である吸気流制御バルブ１の内部に圧入嵌合されたピンロッド８と、このピンロッド８を介して、複数のバルブユニットのバルブ開度（回転角度）を一括変更することが可能なアクチュエータと、バルブユニットのバルブ開度を、電子スロットル装置、点火装置、燃料噴射装置等の各システムと関連して制御するＥＣＵとによって構成されている。
【００３０】
本実施例のインテークマニホールド２は、例えば熱可塑性樹脂等の合成樹脂によって一体的に形成されている。このインテークマニホールド２は、エンジンの各気筒毎の燃焼室に連通する複数の第１、第２吸気通路１１、１２を形成するケーシング（吸気導入ダクト）である。
また、インテークマニホールド２の内部には、断面方形状の第１吸気通路１１および断面方形状のハウジング格納室（図５参照）１４が気筒数に対応した個数形成されている。各第１吸気通路１１は、各第２吸気通路１２を介して、シリンダヘッドの各吸気ポート１３に互いに独立して接続されている。
各ハウジング格納室１４の内部には、それぞれ対応したバルブユニット、特にハウジング３が嵌合保持されている。
【００３１】
また、複数のバルブユニットは、エンジンの各気筒毎の燃焼室内において縦方向の吸気渦流（タンブル流）を発生させる吸気流制御バルブ１と、インテークマニホールド２のハウジング格納室１４内に格納されたハウジング３と、このハウジング３の圧入嵌合部４に圧入されて保持固定されて、吸気流制御バルブ１とハウジング３との間に形成される隙間を小さくするスロープ部材５とによって、インテークマニホールド２の各ハウジング格納室１４内に嵌合保持されるカートリッジを構成している。
【００３２】
また、複数のバルブユニットは、複数の吸気流制御バルブ１毎に、ピンロッド８の回転軸方向に貫通する多角穴（四角穴：図５参照）１５を有している。また、複数の吸気流制御バルブ１は、ピンロッド８の周囲を取り囲むように配設された円筒状の回転軸（バルブ軸）１６を有し、このバルブ軸１６から回転軸方向に対して垂直な半径方向の一方側（片側）に向けて延ばされた板状弁体（バルブ体）である。
また、複数の吸気流制御バルブ１は、長方形状（または矩形状）で、例えば熱可塑性樹脂等の合成樹脂によって一体的に形成されている。これらの吸気流制御バルブ１は、その回転中心を成すバルブ軸１６が、吸気流制御バルブ１のバルブ中心部よりも、吸気流制御バルブ１の板厚方向に対して垂直なバルブ面方向の片側（図示下方側）に偏った位置に設置されている。したがって、吸気流制御バルブ１は、片持ち式のバルブを構成している。  
【００３３】
また、本実施例では、吸気流制御バルブ１のバルブ上端面の一部（中央部）、つまりバルブ軸側に対して反対側のバルブ上端面を切り欠くことで、エンジンの各気筒毎の燃焼室内においてタンブル流を発生させるための長方形状の開口部（切欠き部、スリット）１７を設けている。なお、この開口部１７は設けなくても良い。また、吸気流制御バルブ１のバルブ左右側面の一部を切り欠くことで、開口部（主開口部）１７よりも開口面積が小さい副開口部１８を形成しても良い。
また、複数のバルブユニットは、吸気流制御バルブ１の表裏２面のうちの裏面側のバルブ面に、バルブ軸１６から吸気流制御バルブ１の先端側（バルブ上端面側）に向かって徐々に高さが低くなるように複数の補強リブ１９を形成している。なお、これらの補強リブ１９は設けなくても良い。
【００３４】
ここで、複数のバルブユニットは、複数のハウジング３毎に、インテークマニホールド２の各第１吸気通路１１に対応して接続され、且つシリンダヘッドの各吸気ポート１３に対応して接続される複数の第２吸気通路（流体流路）１２を有している。すなわち、各ハウジング３の内部には、断面方形状の第２吸気通路１２がそれぞれ形成されている。これらの第２吸気通路１２は、インテークマニホールド２の各第１吸気通路１１よりも吸気流方向の下流側に配設されて、シリンダヘッドの各吸気ポート１３を介して、エンジンの各気筒毎の燃焼室に互いに独立して接続されている。
また、ハウジング３の外周面には、周方向および吸気流方向に平行な方向に延びる複数の補強リブ２０が形成されている。なお、これらの補強リブ２０は設けなくても良い。
【００３５】
そして、複数のハウジング３は、長方形筒状（または矩形筒状）で、各第２吸気通路１２の軸線方向（吸気流方向）の上流端で開口し、インテークマニホールド２の各第１吸気通路１１から各第２吸気通路１２内に吸入空気を導入するための吸気導入口（入口部）を有している。
また、複数のハウジング３は、各第２吸気通路１２の軸線方向（吸気流方向）の下流端で開口し、各第２吸気通路１２からシリンダヘッドの各吸気ポート１３内に吸入空気を導入するための吸気導出口（出口部）を有している。
そして、各ハウジング３は、各第２吸気通路１２の重力方向における下方側、つまり各第２吸気通路１２の重力方向における下面側（第２吸気通路１２の底面側）に、バルブ全開時に吸気流制御バルブ１が第２吸気通路１２のメイン通路内に突き出ないように吸気流制御バルブ１を収納（格納）するためのバルブ収納空間（図５参照）２１を有している。  
【００３６】
ここで、本実施例のバルブユニットにおいては、各ハウジング３の内部（スロープ収容空間２２：図５参照）にブロック状のスロープ部材（スペーサ）５が嵌め込まれている。このスロープ部材５は、エンジンのシリンダヘッドのインマニ取付面とバルブユニットのハウジング３の環状端面との間、特にエンジンの各吸気ポート１３の重力方向における下面とバルブユニットのハウジング３の各第２吸気通路１２（バルブ収納空間２１）の重力方向における下面との間に形成される段差（図５参照）２３を解消する内装部品である。  
【００３７】
スロープ部材５は、ハウジング３のハウジング下壁部の底面と吸気流制御バルブ１のバルブ軸１６との間に形成される隙間（スロープ収容空間２２）を小さくするスロープ本体（スペーサ本体）６、およびこのスロープ本体６の外面（図示下端面）より図示下方に向けて突出するように配設された２つの凸状突起７等を有している。
スロープ本体６の外面（図示下端面）には、ハウジング３のハウジング下壁部の底面の一部を押し下げるように押圧する押圧部２４が一体的に形成されている。また、２つの凸状突起７には、ハウジング３の圧入嵌合部４に圧入される一対の第１、第２圧入部３１、３２がそれぞれ一体的に設けられている。
なお、ハウジング３およびスロープ部材５の詳細構造は、後述する。
【００３８】
ここで、本実施例のピンロッド８は、圧入嵌合によって複数の吸気流制御バルブ１毎に形成される各多角穴１５の内部に挿入されている。このピンロッド８は、複数の吸気流制御バルブ１の各バルブ軸１６を串刺し状態となるように結合することで、全ての吸気流制御バルブ１を連動可能に連結する１本の駆動軸である。また、ピンロッド８は、複数のバルブユニットのバルブ開度を変更する回転軸であって、複数の吸気流制御バルブ１毎に形成される各多角穴１５の内周に圧入固定されている。
また、ピンロッド８は、その回転軸方向に垂直な断面が多角形状（例えば四角形状）に形成された多角断面シャフト（角形鋼製シャフト）であって、金属材料によって一体的に形成されている。
【００３９】
また、インテークマニホールド２には、ピンロッド８を介して、各吸気流制御バルブ１を開閉駆動するアクチュエータが搭載されている。このアクチュエータは、電力の供給を受けると駆動力を発生する電動モータ（第２モータ）、およびこの電動モータの駆動力をピンロッド８に伝達する動力伝達機構（例えば歯車減速機構）等を有している。
ここで、ピンロッド８を介して、複数の吸気流制御バルブ１を駆動する電動モータは、ＥＣＵによって電子制御されるモータ駆動回路を介して、自動車等の車両に搭載されたバッテリに電気的に接続されている。
ＥＣＵには、制御処理や演算処理を行うＣＰＵ、制御プログラムまたは制御ロジックや各種データを保存する記憶装置（ＲＯＭやＲＡＭ等のメモリ）、入力回路（入力部）、出力回路（出力部）、電源回路、タイマー等の機能を含んで構成される周知の構造のマイクロコンピュータが設けられている。
【００４０】
そして、ＥＣＵは、図示しないイグニッションスイッチがオン（ＩＧ・ＯＮ）されると、マイクロコンピュータのメモリ内に格納された制御プログラムまたは制御ロジックに基づいて、電子スロットル装置の電動モータおよび吸気渦流発生装置の電動モータを通電制御すると共に、点火装置（イグニッションコイル、スパークプラグ等）および燃料噴射装置（電動フューエルポンプ、インジェクタ等）を駆動するように構成されている。これにより、エンジンの運転中に、スロットル開度（吸入空気量）、燃料噴射量等が各々制御指令値（制御目標値）となるように制御される。
また、ＥＣＵは、イグニッションスイッチがオフ（ＩＧ・ＯＦＦ）されると、マイクロコンピュータのメモリ内に格納された制御プログラムまたは制御ロジックに基づく上記のスロットル開度制御、タンブル制御バルブ開度制御、点火制御や燃料噴射制御等を含むエンジン制御が強制的に終了されるように構成されている。
【００４１】
また、ＥＣＵには、バルブユニットのバルブ開度（またはバルブ位置）を検出するバルブ開度センサが接続されている。また、ＥＣＵには、エアフローメータ、クランク角度センサ、アクセル開度センサ、スロットル開度センサ、冷却水温センサ、吸気温センサおよび吸気圧センサが接続されている。これらの各種センサからのセンサ信号は、Ａ／Ｄ変換回路によってＡ／Ｄ変換された後に、マイクロコンピュータに入力されるように構成されている。
なお、エアフローメータ、クランク角度センサ、アクセル開度センサ、スロットル開度センサ、冷却水温センサ、吸気温センサおよび吸気圧センサ等によって、エンジンの運転状態を検出する運転状態検出手段が構成される。
ここで、ＥＣＵは、運転状態検出手段によって検出されるエンジンの運転状態に対応して、複数のバルブユニットの目標バルブ開度を算出し、この目標バルブ開度とバルブ開度センサより出力されるバルブ開度信号との偏差がなくなるように電動モータへの供給電力を電子制御している。
【００４２】
ここで、複数の吸気流制御バルブ１は、エンジン始動時またはアイドル運転時に、例えば図１に示したように、アクチュエータ、特に電動モータの駆動力を利用して全閉される。すなわち、エンジン始動時またはアイドル運転時には、複数のバルブユニットのバルブ開度が、全閉開度の状態（全閉位置）となるように制御（全閉方向に駆動）される。
また、複数の吸気流制御バルブ１は、エンジンの通常運転時に、電動モータの駆動力を利用して全開される。すなわち、エンジンの通常運転時には、複数のバルブユニットのバルブ開度が、全開開度の状態（全開位置）となるように制御（全開方向に駆動）される。  また、複数の吸気流制御バルブ１は、エンジン停止時に電動モータへの電力の供給が停止されると、例えばスプリング等の付勢力によって全開位置（または全開位置より僅かにと閉じた中間開度の状態（中間位置））に戻される。
【００４３】
次に、本実施例のバルブユニットのハウジング３およびスロープ部材５の詳細を図１ないし図４に基づいて説明する。
複数のハウジング３は、例えば熱可塑性樹脂等の合成樹脂によって一体的に形成されている。これらのハウジング３は、各吸気流制御バルブ１を開閉自在に収容している。
複数のハウジング３は、各第２吸気通路１２の軸線方向（吸気流方向）に対して直交する方向（各第２吸気通路１２の重力方向に対して垂直な水平方向）の両側に一対の対向壁部（両側壁部、左右側壁部：以下ハウジング左右壁部と言う）をそれぞれ有している。また、複数のハウジング３は、各第２吸気通路１２の軸線方向（吸気流方向）に対して直交する方向（各第２吸気通路１２の重力方向）の両側に一対の上下壁部（天壁部、底壁部：以下ハウジング上下壁部と言う）をそれぞれ有している。
【００４４】
そして、ハウジング３の両側壁部、つまり各バルブ収納空間２１の両側のハウジング左右壁部には、各第２吸気通路１２を隔てて対向する２つのバルブ軸受け部３３がそれぞれ設けられている。これらのバルブ軸受け部３３の内部には、２つの支持孔がそれぞれ形成されている。なお、これらの支持孔の内周には、２つの軸受け部材（例えば円筒状のベアリング等）９が嵌合保持されている。すなわち、ハウジング３のバルブ軸受け部３３は、各ベアリング９を介して、吸気流制御バルブ１の回転軸方向の両端部（２つのバルブ摺動部）を回転方向に摺動自在に支持している。
ここで、各ベアリング９は、内部に摺動孔が形成された円筒体であって、ハウジング３のバルブ軸受け部３３の各支持孔の孔壁面に圧入固定されている。なお、これらのベアリング９はなくても良い。
【００４５】
また、本実施例のハウジング３のハウジング左右壁部の通路壁面には、ハウジング３の出口部近傍から吸気流制御バルブ１のバルブ軸１６の下部に至るまで、各第２吸気通路１２の軸線方向（吸気流方向）に沿って真っ直ぐに延びる一対のガイド（突条部）３４が形成されている。
また、ハウジング３のハウジング下壁部の底面には、ハウジング３の出口部から吸気流制御バルブ１のバルブ軸１６の下部に至るまで、各第２吸気通路１２の軸線方向（吸気流方向）に沿って真っ直ぐに延びる１つの凹部３５が設けられている。そして、この凹部３５の両側には、ハウジング３の入口部側の底面よりも低く、凹部３５の底面（バルブ収納空間２１の最底面）よりも高い位置に底面を有する凹部３６が設けられている。
本実施例では、ハウジング３のハウジング下壁部の底面に形成される凹部３５、３６等によって、吸気流制御バルブ１を全開した全開開度の状態（全開位置）の時に、吸気流制御バルブ１を収容するデッドボリューム（バルブ収納空間２１）を構成している。また、上述したスロープ収容空間２２は、バルブ収納空間２１の重力方向における下方側（図示下方側）に設けられる。具体的には、ハウジング３のハウジング下壁部の底面に形成される凹部３５、３６と吸気流制御バルブ１のバルブ軸１６との間に形成される。
【００４６】
また、ハウジング３のハウジング下壁部には、２つの凸状突起７の第１、第２圧入部３１、３２を圧入嵌合する一対の第１、第２圧入保持部４１、４２が形成されている。
第１圧入保持部４１は、図１ないし図４に示したように、第２圧入保持部４２よりも図示左側に配設されて、逆コの字状の断面を有している。また、第２圧入保持部４１は、図１ないし図４に示したように、第１圧入保持部４１よりも図示右側に配設されて、コの字状の断面を有している。
第１、第２圧入保持部４１、４２は、特に図２、図３に示したように、スロープ部材５（スロープ本体６および凸状突起７）の図示下端部分が挿入されるスロープ挿入部（バルブ収納空間２１の底面に形成された凹部３６）の図示下方に配設され、スロープ部材５の押圧部２４により図示下方に押圧されると（図示下方に押し下げられると）、第１、第２圧入部３１、３２を含む凸状突起７を係止するように（第１、第２圧入部３１、３２の抜け止めを図るように）弾性変形する一対の第１、第２変形部（抜け防止部）４３、４４を有している。
【００４７】
ここで、第１、第２圧入保持部４１、４２によって構成される圧入嵌合部（ハウジング３の圧入嵌合部）４は、ハウジング３のハウジング下壁部端面で開口する開口部４５、およびこの開口部４５に連通する圧入空間４６を有している。また、圧入嵌合部４は、第１、第２圧入保持部４１、４２の内面のうちの少なくとも一部（例えば天井面と底面）が圧入面を形成している。また、圧入嵌合部４は、変形部（天井部）を２分割するように、すなわち、変形部（天井部）を２つの第１、第２変形部４３、４４に分割するように、形成されて、ハウジング３のハウジング下壁部の底面と吸気流制御バルブ１のバルブ軸１６との間に形成される隙間と圧入空間４６とを連通するスリット４７を有している。このスリット４７は、ハウジング３の出口部近傍から圧入嵌合部４の最奥部近傍まで真っ直ぐに延びている。
【００４８】
第１、第２変形部４３、４４は、凹部３５の両側に第１、第２圧入部３１、３２に対応するように１組ずつ配設されて、ハウジング３に対するスロープ部材５（スロープ本体６および凸状突起７）の抜け止め構造を形成している。これらの第１、第２変形部４３、４４は、スロープ部材５の押圧部２４と第１、第２圧入部３１、３２との間に挟み込まれている。
また、第１、第２変形部４３、４４は、圧入嵌合部４の圧入面の途中から開口部４５の近傍まで設けられている。なお、第１、第２変形部４３、４４を圧入嵌合部４の圧入面よりも開口部側に設けても良い。また、第１、第２変形部４３、４４は、その図示上端面（凹部３６の底面）が、ハウジング３のハウジング下壁部の底面と吸気流制御バルブ１のバルブ軸１６との間に形成される隙間にスロープ部材５を挿入する際のガイドの一部を構成している。
また、圧入嵌合部４は、第１、第２変形部４３、４４との間に圧入空間４６を形成する平面部４９を有している。この平面部４９は、圧入嵌合部４（第１、第２圧入保持部４１、４２）に、第１、第２圧入部３１、３２を圧入する際のガイドを構成している。  
【００４９】
複数のスロープ部材５は、例えば熱可塑性樹脂等の合成樹脂によって一体的に形成されている。これらのスロープ部材５は、第１、第２変形部４３、４４を押圧する押圧部２４を有するスロープ本体６と、圧入嵌合部４（第１、第２圧入保持部４１、４２）に圧入される円柱状の第１、第２圧入部３１、３２を有する２つの凸状突起７とを備えている。
スロープ本体６は、断面直角三角形状（または断面横Ｖ字形状）に形成されている。このスロープ本体６に設けられている押圧部２４は、圧入嵌合部４（第１、第２圧入保持部４１、４２）へ圧入嵌合する第１、第２圧入部３１、３２の反圧入方向側（後端部側）に位置している。そして、この押圧部２４は、圧入嵌合部４（第１、第２圧入保持部４１、４２）への第１、第２圧入部３１、３２の圧入嵌合が終了した後に、圧入嵌合部４の第１、第２変形部４３、４４を圧入部３１、３２側（図示下方）に押し下げるように押圧し、第１、第２変形部４３、４４を弾性変形させる。
また、第１、第２圧入部３１、３２の先端部は、圧入嵌合部４（第１、第２圧入保持部４１、４２）への圧入作業を容易とするために、先端に向かう程外径が次第に小さくなるテーパ状（円錐台形状）に形成されている。
【００５０】
押圧部２４は、スロープ本体６の外面（傾斜面５１）に一体的に設けられている。また、押圧部２４は、ハウジング３のハウジング下壁部の底面と吸気流制御バルブ１のバルブ軸１６との間に形成される隙間にスロープ本体６を挿入した際に第１、第２変形部４３、４４に当接するように、スロープ本体６の外面（傾斜面５１）のうちの図３および図４において右端側に設けられる。各スロープ本体６の傾斜面５１は、ハウジング３のハウジング下壁部の底面と吸気流制御バルブ１のバルブ軸１６との間に形成される隙間へのスロープ本体６の挿入方向の先端部から、ハウジング３の出口部側に向かって徐々に図示下方への突き出し量が大きくなるように傾斜している。なお、各スロープ本体６の先端側に傾斜面５１が設けられていなくても良い。
【００５１】
また、各吸気ポート１３の重力方向における下面と各第２吸気通路１２（バルブ収納空間２１）の重力方向における下面とを滑らかに接続する傾斜面５２を有している。各スロープ本体６の傾斜面５２は、各第２吸気通路１２の重力方向における下面から、各吸気ポート１３の重力方向における下面に向かって徐々に高くなっている。また、各スロープ本体６の各傾斜面５２は、吸気流制御バルブ１のバルブ軸１６よりも重力方向における下方側（吸気流制御バルブ１の下部）を起点としハウジング３の出口部近傍を終点として起点から終点に向けて真っ直ぐに延びている。
また、各スロープ本体６の左右両側面は、ハウジング３の一対のガイド３４にそれぞれ嵌め合わされる一対の嵌合凹部５３を有している。
【００５２】
また、各スロープ本体６は、ハウジング３の環状端面と同一平面上に配置されて、シリンダヘッドのインマニ取付面に対して所定の隙間を隔てて対面する対向面５４を有している。なお、複数のスロープ部材５の対向面５４が、シリンダヘッドのインマニ取付面（段差２３）に接触していても構わない。
そして、スロープ部材５のスロープ本体６を収容した複数のバルブユニットをインテークマニホールド２の各ハウジング格納室１４内に格納した後に、インテークマニホールド２をシリンダヘッドのインマニ取付面に気密的に接続することで、スロープ部材５が、例えば図５に示したように、シリンダヘッドのインマニ取付面（段差２３）と吸気流制御バルブ１のバルブ軸１６との間に形成される空間（バルブ収納空間２１のうちのバルブ軸１６よりもシリンダヘッド側の空間）に配置される。
【００５３】
２つの凸状突起７は、開口部４５から圧入空間４６（特に第１、第２圧入保持部４１、４２の圧入面）に圧入される第１、第２圧入部３１、３２、およびスリット４７を貫通してスロープ本体６の外面（傾斜面５１）と第１、第２圧入部３１、３２とを連結する断面逆Ｔ字状の連結部５５を有している。
第１、第２圧入部３１、３２には、第１、第２変形部４３、４４の端部（抜け防止部）に係止される第１、第２被係止部が一体的に形成されている。また、第１、第２圧入部３１、３２は、押圧部２４と一体化されており、第１、第２変形部４３、４４を、同一の樹脂部材である押圧部２４とで挟み込む構造を備えている。
【００５４】
［実施例１の製造方法］
次に、本実施例のバルブユニットの製造方法を図１ないし図４に基づいて簡単に説明する。
【００５５】
ここで、インテークマニホールド２、複数のハウジング３、複数の吸気流制御バルブ１およびスロープ部材５に用いられる樹脂材料としては、耐熱性や強度上の観点から、ポリアミド樹脂（ＰＡ）、不飽和ポリエステル樹脂（ＵＰ）、ポリブチレンテレフタレート（ＰＢＴ）、ポリフェニレンサルファイド（ＰＰＳ）等の合成樹脂（熱可塑性樹脂）が好ましい。
本実施例のバルブユニットは、ハウジング３と吸気流制御バルブ１とを、１つの射出成形用金型（成形型）内で熱可塑性樹脂によって一体的に同時成形する射出成形方法を用いて製造される。また、スロープ部材５は、スロープ本体６、２つの凸状突起７および連結部５５等を、１つの射出成形用金型（成形型）内で熱可塑性樹脂によって一体的に成形する射出成形方法を用いて製造される。
射出成形方法を簡単に説明すると、ペレット状の樹脂素材を加熱して溶融し、この溶融樹脂に圧力を加えて射出成形用金型（成形型）のキャビティ内に射出注入し、冷却して固化（硬化）した後に、射出成形用金型を所定の型抜き方向に型抜きして射出成形用金型の中から、樹脂成形品を取り出す樹脂成形方法である。
【００５６】
次に、ハウジング３にスロープ部材５を組み付ける場合には、先ずスロープ本体６の外面（傾斜面５１）を、ハウジング３の凹部３６（第１、第２変形部４３、４４の外面（ガイド面））に合わせ、更に、２つの凸状突起７の第１、第２圧入部３１、３２等を、圧入嵌合部４の平面部４９の内面（ガイド面）に合わせた後に、圧入治具によってスロープ部材５をハウジング３の内部に押し込む。
このとき、スロープ部材５のスロープ本体６が、ハウジング３のハウジング下壁部の底面と吸気流制御バルブ１のバルブ軸１６との間に形成される隙間を狭くするように、ハウジング３の内部（スロープ収容空間２２）に挿入されると同時に、スロープ部材５の第１、第２圧入部３１、３２をハウジング３の圧入嵌合部４（第１、第２圧入保持部４１、４２）の圧入面、圧入空間４６に圧入される。
【００５７】
ここで、スペーサ本体６の押圧部２４が、圧入嵌合部４への第１、第２圧入部３１、３２の圧入方向の逆側に配設されているので、スロープ本体６がハウジング３の内部に挿入されて押圧部２４が、圧入嵌合部４（第１、第２圧入保持部４１、４２）への第１、第２圧入部３１、３２の圧入嵌合が終了した後に、第１、第２変形部４３、４４を圧入部側（図示下方）に押し下げるように押圧する。
そして、第１、第２変形部４３、４４が押圧部２４に押圧されると、第１、第２変形部４３、４４の端部が図示下方に曲がるように弾性変形するため、第１、第２変形部４３、４４の端部（抜け防止部）により第１、第２圧入部３１、３２の被係止部が係止されて、スロープ部材５の抜け止めが成される。
これにより、ハウジング３に対するスロープ部材５（スロープ本体６、２つの凸状突起７）の固定作業と、ハウジング３に対するスロープ部材５（スロープ本体６、２つの凸状突起７）の抜け止め作業とが同時に完了する。
【００５８】
［実施例１の作用］
次に、本実施例の内燃機関の吸気制御装置（吸気渦流発生装置）の作用を図１ないし図４に基づいて簡単に説明する。
【００５９】
ＥＣＵは、イグニッションスイッチがオン（ＩＧ・ＯＮ）されると、電子スロットル装置の電動モータを通電制御すると共に、点火装置（イグニッションコイル、スパークプラグ等）および燃料噴射装置（電動フューエルポンプ、インジェクタ等）を駆動する。これにより、エンジンが運転される。このとき、エンジンの特定気筒が排気行程から、吸気バルブ２２が開弁し、ピストンが下降する吸気行程に移行すると、ピストンの下降に従って当該気筒の燃焼室内の負圧（大気圧よりも低い圧力）が大きくなり、開弁している吸気ポート１３から燃焼室に混合気が吸い込まれる。
【００６０】
また、ＥＣＵは、エンジンが温まっており、吸入空気量（吸気量）が多く必要な時、つまりエンジンの通常運転時に、吸気渦流発生装置の電動モータへの供給電力を制御（例えば電動モータを通電）する。このとき、電動モータの駆動力を利用して複数の吸気流制御バルブ１およびピンロッド８が開弁作動方向に駆動されるため、複数の吸気流制御バルブ１が開かれる。すなわち、バルブユニットのバルブ開度が、全開位置にて開弁した状態（全開開度の状態）となるように制御される。
この場合、インテークマニホールド２の第１吸気通路１１から、ハウジング３の入口部を経てハウジング３の内部に形成される第２吸気通路１２に流入した吸気流は、第２吸気通路１２をストレートに通過して、ハウジング３の出口部からシリンダヘッドに設けられる吸気ポート１３内に導入される。そして、吸気ポート１３を通過した吸気流は、吸気ポート１３の吸気弁口から燃焼室内に供給される。このとき、燃焼室内において縦方向の吸気渦流（タンブル流）は発生しない。
【００６１】
一方、ＥＣＵは、エンジンが冷えており、吸入空気量（吸気量）が少なくても良い時、つまりエンジン始動時またはアイドル運転時に、吸気渦流発生装置の電動モータへの供給電力を制御（例えば電動モータを通電）する。このとき、電動モータの駆動力を利用して複数の吸気流制御バルブ１およびピンロッド８が閉弁作動方向に駆動されるため、複数の吸気流制御バルブ１が閉じられる。すなわち、バルブユニットのバルブ開度が、全閉位置にて閉弁した状態（全閉開度の状態）となるように制御される。
この場合、インテークマニホールド２の第１吸気通路１１から、ハウジング３の入口部を経て第２吸気通路１２に流入した吸気流は、殆ど吸気流制御バルブ１のバルブ上端面とハウジング３のハウジング上壁部との間の隙間（開口部１７）を通過して、ハウジング３の出口部から吸気ポート１３の上層部内に導入され、吸気ポート１３の上層部の天壁面に沿って流れる。そして、吸気ポート１３の上層部の天壁面に沿って流れる吸気流は、吸気ポート１３の吸気弁口から燃焼室内に供給される。このとき、エンジンの各気筒毎の燃焼室内においてタンブル流が発生するため、エンジン始動時またはアイドル運転時における燃焼室内での燃焼効率が向上し、燃費やエミッション（例えばＨＣ低減効果）等が改善される。
【００６２】
ここで、本実施例のバルブユニットにおいては、ハウジング３のバルブ収納空間２１の内部（特にハウジング３の各第２吸気通路１２の重力方向における下部）に設置されたスロープ本体６によって、シリンダヘッドのインマニ取付面とハウジング３の環状端面との間に形成された段差２３を解消することができるので、ハウジング３の下部に液溜まり（滞留、堆積）した燃料が、スロープ部材５の傾斜面５２を通って段差２３を乗り越えエンジンの吸気ポート１３に戻り易くなる。
そして、各吸気流制御バルブ１の全閉時（バルブ全閉時）においては、第１吸気通路１１から第２吸気通路１２に流入した吸入空気の一部が、吸気流制御バルブ１のバルブ軸１６とインテークマニホールド２の段差（図５参照）２５との間の隙間を通って第２吸気通路１２の重力方向における下面（ハウジング３の底面）に回り込み、その後に、第２吸気通路１２の重力方向における下面（ハウジング３の底面）と吸気流制御バルブ１のバルブ軸１６との間の隙間から、スロープ部材５の傾斜面５２に沿ってエンジンの吸気ポート１３内に流れ込む吸入空気流が発生する。
【００６３】
各吸気流制御バルブ１の全閉時（バルブ全閉時）において、このようなスロープ部材５の傾斜面５２に沿って流れる吸入空気流を利用して、ハウジング３の下部に液溜まりした燃料をエンジンの各気筒毎の吸気ポート側に吹き飛ばすことが可能となるので、ハウジング３の下部に燃料が大量に液溜まりし難くなる。
したがって、ハウジング３の下部に液溜まりした燃料が大量に、しかも一気にエンジンの各気筒毎の燃焼室内に流れ込むことがないので、エンジンの各気筒毎の燃焼室内の空燃比がオーバリッチになることによる排気ガス性能（エミッション）の悪化を抑制することができる。
【００６４】
また、本実施例のバルブユニットにおいては、吸気流制御バルブ１として片持ち式のバルブを採用している。これによって、吸気流制御バルブ１を全開した全開状態の時、つまり吸気流制御バルブ１の開度が、ハウジング３の内部（第２吸気通路１２）において全開位置にて全開（開弁）した全開開度の状態の時（バルブ全開時）に、ハウジング３の内部（第２吸気通路１２）に流入した吸気流は、吸気流制御バルブ１のバルブ本体およびそのバルブ軸１６に邪魔されることなく、ハウジング３の内部（第２吸気通路１２）をストレートに通過する。すなわち、ハウジング３の内部（第２吸気通路１２）に流入した吸気流は、ハウジング３の内部（第２吸気通路１２）を真っ直ぐに流れて、ハウジング３の内部（第２吸気通路１２）からエンジンの各気筒毎の燃焼室に導入される。これによって、バルブ全開時における吸気抵抗を低減させることができる。
【００６５】
［実施例１の効果］
以上のように、バルブユニットにおいては、スロープ部材５のスロープ本体６をハウジング３の内部（スロープ収容空間２２）に挿入すると同時に、スロープ部材５の第１、第２圧入部３１、３２をハウジング３の第１、第２圧入保持部４１、４２の圧入面、つまり圧入嵌合部４の圧入空間４６に圧入するだけで、ハウジング３に対するスロープ部材５（スロープ本体６、２つの凸状突起７）の固定作業と、ハウジング３に対するスロープ部材５（スロープ本体６、２つの凸状突起７）の抜け止め作業とを同時に完了することができる。
【００６６】
ここで、ハウジング３およびスロープ部材５の樹脂材料としては、例えばポリアミド樹脂（ＰＡ）、不飽和ポリエステル樹脂（ＵＰ）、ポリブチレンテレフタレート（ＰＢＴ）、ポリフェニレンサルファイド（ＰＰＳ）等の耐熱性に優れる合成樹脂の内で比較的に安価な合成樹脂を使用する。
これによって、高価な樹脂材料（高温クリープ等による変形量の小さい合成樹脂）を使用することなく、また、ハウジング３の内部（スロープ収容空間２２、圧入空間４６）への装着後のスロープ部材５（スロープ本体６、２つの凸状突起７）の抜け防止のための後工程が不要となるので、ハウジング３へのスロープ部材５の組付作業効率の向上およびコストダウンを図ることができる。
【００６７】
また、ハウジング３の内部（スロープ収容空間２２、圧入空間４６）への装着後のスロープ部材５（スロープ本体６、２つの凸状突起７）の抜け防止のための熱かしめや溶着等の抜け止め作業（後工程）が不要となるので、バルブユニットにおける良好な出来映え品質（外観品質）の保証が可能となり、品質管理に対する信頼性を向上することがきる。
また、ハウジング３の内部（スロープ収容空間２２）に対するスロープ部材５のスロープ本体６の固定作業（組み付け作業）を実施した際に、圧入嵌合部４の第１、第２変形部４３、４４の端部（抜け防止部）がスロープ部材５の第１、第２圧入部３１、３２の被係止部を係止するように変形することにより、スロープ部材５（スロープ本体６、２つの凸状突起７）の抜け止めを確実に実施することができるので、スロープ部材５（スロープ本体６、２つの凸状突起７）の抜け防止に対する信頼性を向上することができる。
【００６８】
また、本実施例のバルブユニットにおいては、吸気流制御バルブ１のバルブ軸１６と段差２３との間にスロープ部材５が挟み込まれるようにして設置されている。これによって、スロープ部材５が段差２３によってエンジンの各気筒毎の吸気ポート側および燃焼室側へ移動することを防止することができる。また、上述したように、スロープ部材５の抜け防止に対する信頼性をより向上することができるので、スロープ部材５がハウジング３より抜け出すことを確実に防止することができる。したがって、ハウジング３より抜け出したスロープ部材５が、エンジンの吸気ポート１３や燃焼室内に侵入してエンジンの可動部材（吸気バルブやピストン等）と干渉する等の不具合の発生を確実に防止できるので、エンジンの損傷を防止することができる。
【００６９】
さらに、本実施例のハウジング３の圧入嵌合部４においては、抜け止め突起等のロック機構を追加することなく、例えばフラットな形状でスロープ部材５（特に第１、第２圧入部３１、３２）の抜け止めが可能な構成とすることにより、ハウジング３およびスロープ部材５を樹脂成形する射出成形用金型の金型構造を簡素化することができる。これにより、射出成形用金型の金型加工およびメンテナンスの容易化を図ることができる。また、抜け止め突起等のロック機構をハウジング３に設けていないので、ハウジング３の樹脂材料として、硬い合成樹脂を用いた場合であっても、射出成形用金型の無理抜きを行う必要がなく、ハウジング３の圧入嵌合部４の内面が削れる不具合はない。
また、圧入嵌合部４の第１、第２変形部４３、４４を、同一樹脂部材（例えば熱可塑性樹脂等の合成樹脂）によって形成されたスロープ本体６の押圧部２４と２つの凸状突起７の第１、第２圧入部３１、３２とで挟み込む構造を備えている。これによって、高温環境下でのクリープ等の変形により更にスロープ部材５が抜け難くなるので、スロープ部材５の抜け防止に対する信頼性をより向上することができる。
【００７０】
［変形例］
本実施例では、本発明を、吸気渦流発生装置を備えた内燃機関の吸気制御装置に適用しているが、本発明を、内燃機関の各気筒毎の燃焼室内に吸入される吸入空気量を制御する内燃機関の吸気量制御装置（電子スロットル装置）、吸気通路の通路長や通路断面積を変更する吸気可変弁を備えた内燃機関の可変吸気制御装置に適用しても良い。
本実施例では、吸気渦流発生装置を、エンジンの各気筒毎の燃焼室内にて混合気の燃焼を促進させるための縦方向の吸気渦流（タンブル流）の生成が可能となるように構成したが、吸気渦流発生装置を、エンジンの各気筒毎の燃焼室内にて混合気の燃焼を促進させるための横方向の吸気渦流（スワール流）の生成が可能となるように構成しても良い。また、吸気渦流発生装置を、エンジンの燃焼を促進させるためのスキッシュ渦の生成が可能となるように構成しても良い。
【００７１】
本実施例では、吸気流制御バルブ１のバルブ軸１６を駆動するバルブ駆動装置（アクチュエータ）を、電動モータを備えた電動式アクチュエータによって構成したが、バルブの回転軸を駆動するアクチュエータを、電磁式または電動式負圧制御弁を備えた負圧作動式アクチュエータや、コイル等の電磁石およびムービングコア（またはアーマチャ）を備えた電磁式アクチュエータによって構成しても良い。
また、吸気導入ダクト内部に形成される吸気通路に設置されたバルブを有し、エンジンの燃焼室に吸い込まれる吸入空気（吸気）を制御する吸気制御弁として、本実施例のバルブユニット（ＴＣＶ）の代わりに、スロットルボディ内部に形成される吸気通路に設置されたスロットルバルブを有し、エンジンの燃焼室に吸い込まれる吸入空気量（吸気量）を制御する吸気流量制御弁、ハウジング内部に形成される吸気通路に設置されたアイドル回転速度制御バルブを有し、スロットルバルブをバイパスする吸入空気量（吸気量）を制御する吸気流量制御弁等を用いても良い。
【００７２】
また、バルブを有する吸気制御弁として、ＴＣＶ等の吸気流制御弁または吸気流量制御弁の代わりに、吸気通路開閉弁、吸気通路切替弁、吸気圧力制御弁を用いても良い。また、本発明の吸気制御弁を、タンブル制御弁やスワール制御弁等の吸気流制御弁、吸気通路の通路長や通路断面積を変更する吸気可変弁等に適用しても良い。また、エンジンとして、ディーゼルエンジンを用いても良い。また、エンジンとして、多気筒エンジンだけでなく、単気筒エンジンを用いても良い。
また、バルブは、多連一体型の吸気流制御バルブ１に限定されず、ハウジング３の内部に開閉自在に設置されるバルブであれば、１個の片持ち式のバルブまたは１個の両持ち式のバルブのいずれでも良い。また、本実施例では、吸気流制御バルブ１の正面形状を方形状または矩形状としているが、吸気流制御バルブ１の正面形状を円形状または楕円形状または長円形状または多角形状としても良い。この場合には、吸気導入ダクトのハウジング（筒部）内の吸気通路の断面形状を吸気流制御バルブ１の正面形状に対応して変更する。  
【００７３】
本実施例では、本発明のスペーサとして、吸気流制御バルブ１とハウジング３との間に形成される隙間を小さくし、且つエンジンの吸気ポート１３とハウジング３の第２吸気通路１２との間に形成される段差２３を解消するスロープ部材５を適用しているが、本発明のスペーサとして、スロープ部材としての機能を持たず、吸気流制御バルブ１とハウジング３との間に形成される隙間を小さくするスペーサを採用しても良い。この場合には、吸気流制御バルブ１のバルブ軸１６が、ハウジング３の重力方向に配設されるタイプのバルブユニットに使用できる。
【図面の簡単な説明】
【００７４】
【図１】バルブユニットを示した斜視図である（実施例１）。
【図２】（ａ）は凸状突起の第１、第２圧入部を示した斜視図で、（ｂ）はスロープ部材の抜け止め構造を示した斜視図である（実施例１）。
【図３】（ａ）は（ｂ）のＡ−Ａ断面図で、（ｂ）はバルブユニットを示した正面図である（実施例１）。
【図４】（ａ）は（ｂ）のＢ−Ｂ断面図で、（ｂ）はスロープ部材を示した正面図で、（ｃ）は（ｄ）のＣ−Ｃ断面図で、（ｄ）はハウジング下壁部を示した正面図である（実施例１）。
【図５】（ａ）は（ｂ）のＤ−Ｄ断面図で、（ｂ）は内燃機関の吸気制御装置を示した断面図である（比較例１）。
【図６】バルブユニットを示した斜視図である（比較例１）。
【図７】内燃機関の吸気制御装置を示した断面図である（従来の技術）。
【符号の説明】
【００７５】
１  吸気流制御バルブ
２  インテークマニホールド
３  ハウジング
４  圧入嵌合部（嵌合部）
５  スロープ部材（スペーサ）
６  スロープ本体（スペーサ本体）
７  凸状突起
１２  第２吸気通路（流体流路）
１６  バルブ軸（回転軸）
２３  段差
２４  押圧部
３１  第１圧入部
３２  第２圧入部
４１  第１圧入保持部
４２  第２圧入保持部
４３  第１変形部
４４  第２変形部
４５  開口部
４６  圧入空間
４７  スリット
５５  連結部
【図１】
0005061934.tif 000002
【図２】
0005061934.tif 000003
【図３】
0005061934.tif 000004
【図４】
0005061934.tif 000005
【図５】
0005061934.tif 000006
【図６】
0005061934.tif 000007
【図７】
0005061934.tif 000008